(57)【要約】【課題】頻繁に駆動装置内に蓄積した飼料を除去する必要もなく、確実にディスクケーブルを駆動することができ、駆動装置の保守作業も簡便である飼料搬送装置を提供する。【解決手段】配管３路中に、上側配管３２と下側配管３３とを摺動自在とした左側摺動配管部分３０と右側摺動配管部分３１から構成されるディスクケーブル張力付与機構１５を吊設する。その下方に、カバー１６，１７に駆動スプロケット１８を内蔵したコーナージョイント１９と駆動モーター２２とから構成される駆動装置４を配設する。又、外側のカバー１６には、飼料Ｓを落下、排出する飼料排出孔２７，２９を穿設しておく。【選択図】図４
2008148654.tif 000002
【特許請求の範囲】
【請求項１】
エンドレスに接続された配管内でエンドレスに接続されたディスクケーブルを走行させて飼料を搬送する飼料搬送装置において、配管路中に、上側配管と下側配管とを摺動自在とした一側摺動配管部分と他側摺動配管部分から構成されるディスクケーブル張力付与機構を吊設し、その下方に、カバーに駆動スプロケットを内蔵したコーナージョイントと駆動モーターとから構成される駆動装置を配設したことを特徴とする飼料搬送装置。
【請求項２】
前記摺動配管部分は、上側配管と下側配管との内、外径を相違させ、上側配管と下側配管とを摺動自在としたことを特徴とする請求項１に記載の飼料搬送装置。
【請求項３】
前記カバーに飼料排出孔を穿設したことを特徴とする請求項１又は２に記載の飼料搬送装置。
【請求項４】
前記飼料排出孔は、小径の飼料排出孔を多数穿設したものであることを特徴とする請求項３に記載の飼料搬送装置。
【発明の詳細な説明】
【技術分野】
【０００１】
本発明は、エンドレスに接続された配管内でエンドレスに接続されたディスクケーブルを走行させることにより、飼料ホッパーから供給された飼料を配管を介して多数個の給餌器へ配送する飼料搬送装置に関する。
【背景技術】
【０００２】
従来、配管を備えた飼料搬送装置として、図９に示すように、エンドレスに接続したディスクケーブル１０２を配管１０３内に挿入し、駆動装置１０４によりディスクケーブル１０２を矢印ｘ方向へ押し送りすることにより、飼料ホッパー１０５からディスクケーブル１０２のディスク１０２ｂ間に投入された飼料Ｓを搬送し、飼料落下管１０６を介して給餌器１０７に配送するディスクケーブル方式の飼料搬送装置１０１が知られている。
ここで、ディスクケーブル１０２は、図１０に示すように、可撓性のワイヤー１０２ａにディスク１０２ｂを所定間隔で固着したものである。
そして、配管１０３が垂直又は水平方向に略直角に曲折されるコーナー部１０３ａでは搬送抵抗が大きく、これを軽減するため、図９に示すように、コーナー部１０３ａにホイールを内蔵したコーナージョイント１０８を配設してある。
【０００３】
駆動装置１０４は、図１１に示すように、筐体１０９内に駆動スプロケット１１０を配設してあり、駆動スプロケット１１０にディスクケーブル１０２を掛け回し、駆動モーター１１１により駆動スプロケット１１０を駆動することによって、ディスクケーブル１０２を走行させている。
ここで、ディスクケーブル１０２を常時緊張させて、確実に駆動スプロケット１１０によって走行させることができるよう、筐体１０９内に遊動プーリー１１３を配設し、遊動プーリー１１３にもディスクケーブル１０２を掛け回し、常時引張バネ１１４により支持部材１１５を介して遊動プーリー１１３を引張り、ディスクケーブル１０２に張力を付与するディスクケーブル張力付与機構１１２を構成してある（例えば、特許文献１参照）。
【０００４】
【特許文献１】特開２００１−２５８４１８号公報
【０００５】
飼料Ｓが給餌器１０７に供給され過ぎて、給餌器１０７から溢れ出ないように、又、飼料Ｓが配管１０３内を搬送され、周回されて、駆動装置１０４内に流入しないように、飼料落下管１０６の下端部には、図１２に示すように、枠体１１７内部の側壁近傍に揺動板１１８を軸支し、枠体１１７の側壁外面にリミットスイッチ１１９を固定してなる駆動停止装置１１６を配設してある。
そして、給餌器１０７に供給される飼料Ｓが満杯状態となると、飼料落下管１０６の下端開口付近まで堆積した飼料Ｓが揺動板１１８を押圧して揺動させ、揺動板１１８がリミットスイッチ１１９の作用杆１１９ａを押圧するので、リミットスイッチ１１９がＯＮ状態となり、駆動モーター１１１を停止させ、飼料Ｓを供給しないようになっている。
【発明の開示】
【発明が解決しようとする課題】
【０００６】
従来の駆動装置１０４では、飼料Ｓが駆動装置１０４内に流入し、駆動スプロケット１１０及び遊動プーリー１１３の軸部、引張バネ１１４のコイル部等に付着すると、これらの作動が妨げられ、ディスクケーブル１０２を駆動できなくなると共に、ディスクケーブル１０２に適切な張力を付与できなくなる。
そのため、駆動装置１０４は、配管１０３の内部に飼料Ｓが殆ど存在しない位置、すなわち、全ての給餌器１０７に飼料Ｓを供給し終えた飼料ホッパー１０５の直前位置に配設する必要があった。
【０００７】
しかし、駆動装置１０４を飼料ホッパー１０５の直前位置に配設しても、実際には、飼料Ｓの搬送は理論通りにはいかず、飼料Ｓを全ての給餌器１０７に完全に供給できる訳ではないから、少量ではあっても、配管１０３から戻って来た飼料Ｓが駆動装置１０４内に流入して、徐々に蓄積されていく。
そして、蓄積された飼料Ｓが引張バネ１１４のコイル部、支持部材１１５等に付着し、これらの作動を妨げるようになると、ディスクケーブル１０２に適切な張力を付与できなくなるため、頻繁に駆動装置１０４内に蓄積した飼料Ｓを除去する必要があった。
【０００８】
又、飼料落下管１０６の下端部では、飼料Ｓが粉塵となって舞上がると共に、豚舎内の湿度は高いため、揺動板１１８、リミットスイッチ１１９に飼料Ｓが付着して、駆動停止装置１１６が作動不良となり易い。そのため、給餌器１０７内に飼料Ｓが満杯状態となっても、駆動モーター１１１が停止しないことがあった。
すると、配管１０３を周回して戻って来た飼料Ｓが駆動装置１０４を経て、再度、配管１０３内に供給されると共に、飼料ホッパー１０５からも新たに飼料Ｓが配管１０３内に供給されるから、配管１０３内で飼料Ｓが大量に詰まり、結局、ディスクケーブル１０２を駆動することができなくなった。
【０００９】
上記の如く、駆動装置１０４は、駆動スプロケット１１０、遊動プーリー１１３及び、引張バネ１１４、支持部材１１５等から構成されるディスクケーブル張力付与機構１１２を有しているから、部品点数が多く、製品コストが高額にならざるを得なかった。
又、筐体１０９内にディスクケーブル張力付与機構１１２を配設しているから、駆動装置１０４の保守作業は面倒であると共に、頻繁に行わなければならず、保守コストも高額にならざるを得なかったと
【００１０】
本発明は、かかる従来の問題点に鑑みて為されたものであって、駆動装置を必ずしも飼料ホッパー１０５の直前位置に配設する必要がなく、頻繁に駆動装置内に蓄積した飼料Ｓを除去する必要もなく、配管内に飼料Ｓが詰まらず、確実にディスクケーブルを駆動することができる飼料搬送装置を提供することを目的とする。
又、駆動装置の部品点数が少なく、構成が簡易であり、製品コストを低減することができると共に、確実にディスクケーブルに張力を付与することができ、駆動装置の保守作業も簡便である飼料搬送装置を提供することを目的とする。
【課題を解決するための手段】
【００１１】
上記目的を達成するため、本発明の飼料搬送装置は、エンドレスに接続された配管内でエンドレスに接続されたディスクケーブルを走行させて飼料を搬送する飼料搬送装置において、配管路中に、上側配管と下側配管とを摺動自在とした一側摺動配管部分と他側摺動配管部分から構成されるディスクケーブル張力付与機構を吊設し、その下方に、カバーに駆動スプロケットを内蔵したコーナージョイントと駆動モーターとから構成される駆動装置を配設したことを特徴とする。
【００１２】
かかる構成によれば、頻繁に駆動装置内に蓄積した飼料を除去する必要もなく、確実にディスクケーブルを駆動することができ、しかも、製品コストを低減することができると共に、駆動装置の保守作業も簡便である。
【００１３】
前記摺動配管部分は、上側配管と下側配管との内、外径を相違させ、上側配管と下側配管とを摺動自在としてある。
【００１４】
前記カバーに飼料排出孔を穿設しておけば、駆動装置内に流入した飼料は飼料排出孔から全て下方に落下、排出される。
尚、この飼料排出孔は、大径の飼料排出孔であっても、小径の飼料排出孔を多数穿設したものであってもよい。
【発明を実施するための最良の形態】
【００１５】
以下、本発明の飼料搬送装置の好適な実施形態について、図面を参照して詳細に説明する。
【００１６】
本発明の飼料搬送装置１は、図１に示すように、エンドレスに接続された配管３に所定間隔を保持した飼料落下管６，６，・・・を介して多数個の給餌器７，７，・・・を配設してあるとともに、配管３内にはエンドレスに接続された可撓性のワイヤー２ａにディスク２ｂを所定間隔で固着したディスクケーブル２を挿通してあり、駆動装置４によりディスクケーブル２を矢印ｘ方向に走行するようにしてある。
飼料ホッパー５の下端には飼料投入口５ａが形成され、飼料落下管６の下端には飼料落下口６ａが形成されており、飼料Ｓは飼料投入口５ａから配管３内に投入され、ディスクケーブル２によって配管３内を搬送され、飼料落下管６内を落下して、飼料落下口６ａから給餌器７内に供給されるようになっている。
【００１７】
配管３のコーナー部３ａには、図２及び図３に示すように、曲管形成部材９，１０を鍔部９ａ，１０ａで当接、固定したコーナージョイント８を配設してある。
コーナージョイント８は、曲管部１１の外角θを９０°としてあり、曲管部１１には内方に突出する複数の突設部１２，１２，・・・を形成してある。又、曲管部１１に対応した曲率半径で湾曲された円形断面を有する棒材である当接部材１３，１４，１４を配設してある。
【００１８】
コーナージョイント８によれば、図３に示すように、ディスク２ｂの周面は当接部材１３，１４，１４又は突設部１２，１２，・・・に点接触するから、ディスク２ｂの周面と曲管部１１の内面との接触面積は小さくなり、飼料Ｓとの接触面積も小さくなり、摩擦力を小さくすることができることになって、飼料搬送時におけるワイヤー２ａにかかる負荷を大幅に軽減することができる。
【００１９】
本発明の飼料搬送装置１は、従来の飼料搬送装置１０１と異なり、駆動装置１０４内にディスクケーブル張力付与機構１１２を設けず、図４に示すように、駆動装置４とディスクケーブル張力付与機構１５とを分離し、配管３，３に前記コーナージョイント８，８を介してディスクケーブル張力付与機構１５を吊設し、その下方に駆動装置４を配設したものである。
【００２０】
駆動装置４は、図５に示すように、カバー１６，１７及び駆動スプロケット１８から構成されるコーナージョイント１９に、駆動軸２０、軸継手２１を介して駆動モーター２２を連結したものである。
カバー１６，１７の鍔部１６ａ，１７ａ同士を当接し、ボルト及びナットで締結して、ディスクケーブル２を移送する曲管部２３及び駆動スプロケット１８を収納するスプロケット収納部２４を形成してあり、曲管部２３の一端部にはケーブル導入口２５を、他端部にはケーブル排出口２６を形成してある。
【００２１】
外側のカバー１６には、図６に示すように、大径の飼料排出孔２７を穿設してあり、この飼料排出孔２７には、作業者が間違って手指を挿入すると危険であるため、又、ネズミ等の小動物が侵入することを防止するため、網目を２０ｍｍ程度とした網体２８を設置してある。
外側のカバー１６には、大径の飼料排出孔２７の代わりに、図７に示すように、小径の飼料排出孔２９，２９，・・・を多数穿設してもよい。この飼料排出孔２９の場合は、孔径を２０ｍｍ程度とすることによって、作業者の危険防止及び小動物の侵入防止を図っている。
【００２２】
この駆動装置４によれば、垂直方向に配設された配管部分３Ｖから搬送されて来た飼料Ｓは、ケーブル導入口２５からコーナージョイント１９内に導入され、飼料Ｓ自体の重量及びディスクケーブル２による搬送力によって、曲管部２３及びスプロケット収納部２４内へと流入していく。
曲管部２３及びスプロケット収納部２４内に流入した飼料Ｓは、図６又は図７に示すように、外側のカバー１６に穿設された大径の飼料排出孔２７又は小径の飼料排出孔２９，２９，・・・から、飼料Ｓ自体の重量によって殆ど全て下方に落下、排出される。
よって、飼料Ｓはケーブル排出口２６へ殆ど流動していかず、水平方向に配設された配管部分３Ｈへ飼料Ｓは殆ど供給されない。
【００２３】
ディスクケーブル張力付与機構１５は、図４に示すように、コーナージョイント８，８に吊設された左側摺動配管部分３０と右側摺動配管部分３１とから構成される。
左側摺動配管部分３０は、図４及び図８に示すように、上側配管３２の外径を下側配管３３の内径より小とし、上側配管３２と下側配管３３とを摺動自在としてある。そして、上側配管３２には支持部材３４を介して作用板３５を固定してあり、下側配管３３には支持部材３６，３７を介してリミットスイッチ３８，３９を固定してある。
右側摺動配管部分３１は、図４に示すように、上側配管４０の内径を下側配管４１の外径より大とし、上側配管４０と下側配管４１とを摺動自在としてある。
【００２４】
そして、左側摺動配管部分３０の下側配管３３の下端部には、駆動装置４の曲管部２３のケーブル導入口２５を連結し、右側摺動配管部分３１の下側配管４１の下端部には、コーナージョイント８を介して駆動装置４の曲管部２３のケーブル排出口２６を連結してある。
【００２５】
ディスクケーブル張力付与機構１５は、図４に示すように、左側摺動配管部分３０の上側配管３２と下側配管３３とを摺動自在とすると共に、右側摺動配管部分３１の上側配管４０と下側配管４１とを摺動自在としてあるから、その下方に配設した駆動装置４の重量によって、特に、駆動モーター２２の有する３５〜４０ｋｇという重量によって、下側配管３３，４１には、常時、鉛直下方への力が負荷されていることになる。
【００２６】
結局、ディスクケーブル張力付与機構１５及び駆動装置４の重量、特に、駆動モーター２２の重量によって、左側摺動配管部分３０及び右側摺動配管部分３１を挿通するディスクケーブル２には、常時、鉛直下方への力が負荷されているから、ディスクケーブル２のワイヤー２ａが伸長した場合には、下側配管３３，４１がその伸長分だけ鉛直下方に摺動して、ディスクケーブル２には常時適切な張力を付与することができる。
【００２７】
このように、ディスクケーブル張力付与機構１５によれば、引張バネ、遊動プーリー等の機構部品を使用することなく、又、蓄積した飼料Ｓを除去し、機構部品を清掃し、調整する等の面倒な保守作業をすることなく、ディスクケーブル２に常時適切な張力を自動的に付与することができる。
【００２８】
何等かの原因でディスクケーブル２が駆動スプロケット１７等の機構部品に絡んでしまった場合には、ディスクケーブル２が見かけ上縮長するため、下側配管３３，４１は上方に摺動するが、暫くして後、上側配管３２の作用板３５が下側配管３３のリミットスイッチ３９の作用杆３９ａを押圧するから、駆動モーター２２を停止させることができる。
一方、ディスクケーブル２が異常に伸長したり、ディスクケーブル２が切断してしまった場合には、下側配管３３，４１は下方に摺動するが、暫くして後、上側配管３２の作用板３５が下側配管３３のリミットスイッチ３８の作用杆３８ａを押圧するから、駆動モーター２２を停止させることができる。
【００２９】
このように、ディスクケーブル張力付与機構１５において、上側配管３２に作用板３５を固定し、下側配管３３にリミットスイッチ３８，３９を固定しておけば、不慮の事態が発生した場合には自動的に駆動モーター２２を停止させることができ、飼料搬送装置１の近傍にいる家畜、作業者等の安全を図ることができるとともに、飼料搬送装置１を破損させないようにすることができる。
尚、下側配管３３，４１が鉛直方向に所定距離摺動したことを検知する検知装置としては、作用板３５及びリミットスイッチ３８，３９によるものに限らず、勿論、光センサー等の適宜検知装置を採用することができる。
【００３０】
本発明の飼料搬送装置１によれば、駆動装置４は、カバー１６，１７及び駆動スプロケット１８から構成されるコーナージョイント１９に、駆動軸２０、軸継手２１を介して駆動モーター２２を連結した極めて簡単な構成であって、軽量なものであるから、全ての給餌器１０７に飼料Ｓを供給し終えた位置であれば、特に、飼料ホッパー５の直前位置に配設する必要はなく、自由な配管レイアウトを採用することができる。
【００３１】
又、駆動装置４は、引張バネ、遊動プーリー等の機構部品を使用するディスクケーブル張力付与機構１５を有さず、駆動スプロケット１８を有するだけであり、しかも、流入して来た飼料Ｓを飼料排出孔２７，２９から全て下方に落下、排出するようにしたから、頻繁に駆動装置４内に蓄積した飼料Ｓを除去し、機構部品を清掃し、調整する等の面倒な保守作業をする必要はなくなる。
【００３２】
又、駆動装置４において、流入して来た飼料Ｓを飼料排出孔２７，２９から全て下方に落下、排出するようにしたから、飼料落下管１０６の下端部に、揺動板１１８、リミットスイッチ１１９等から構成される駆動停止装置１１６を配設する必要がなく、配管３を周回して戻って来た飼料Ｓを、再度、配管３内に供給することはなって、配管３内で飼料Ｓが大量に詰まり、ディスクケーブル２が駆動しなくなる虞れはなくなる。
【００３３】
本発明の飼料搬送装置１によれば、駆動装置１０４内にディスクケーブル張力付与機構１１２を設けず、配管３，３にコーナージョイント８，８を介してディスクケーブル張力付与機構１５を吊設し、その下方に駆動装置４を配設する構成として、駆動装置４の自重、特に、駆動モーター２２の自重を利用して、ディスクケーブル２に自動的に張力を付与することができる。
よって、引張バネ、遊動プーリー等の機構部品を使用することなく、又、蓄積した飼料Ｓを除去し、機構部品を清掃し、調整する等の面倒な保守作業をすることなく、ディスクケーブル２に常時適切な張力を自動的に付与することができる。
【００３４】
駆動装置４は、カバー１６，１７及び駆動スプロケット１８から構成されるコーナージョイント１９に駆動モーター２２を連結したものであり、ディスクケーブル張力付与機構１５は、左側摺動配管部分３０と右側摺動配管部分３１とから構成されるものであって、部品点数が少なく、又、従来のように、それら全ての部品を収納する大型ボックス状の筐体１０９を必要としないから、構成は極めて簡易であり、製品コストを大幅に低減することができる。
又、引張バネ、遊動プーリー等の機構部品を有しないから、駆動装置４及びディスクケーブル張力付与機構１５は、殆ど故障することがなく、そのため保守作業を殆ど行なう必要がないから、保守コストも大幅に削減することができる。
【図面の簡単な説明】
【００３５】
【図１】本発明の飼料搬送装置の一実施例の全体斜視図である。
【図２】曲管形成部材から構成されるコーナージョイントの正面図である。
【図３】図２に示すコーナージョイントの横断面図である。
【図４】本発明の駆動装置とディスクケーブル張力付与機構との連結状態を示す一部切欠正面図である。
【図５】図４に示す駆動装置の（Ａ）は正面断面図、（Ｂ）は側面断面図である。
【図６】図４に示す駆動装置の一実施例の外観斜視図である。
【図７】図４に示す駆動装置の他実施例の外観斜視図である。
【図８】本発明のディスクケーブル張力付与機構の作用を示す説明図である。
【図９】従来の飼料搬送装置の全体斜視図である。
【図１０】ディスクワイヤーの部分正面図である。
【図１１】従来の駆動装置の（Ａ）は側面断面図、（Ｂ）は正面断面図である。
【図１２】従来の給餌器の外観斜視図及び飼料落下菅の下端部付近を示す説明図である。
【符号の説明】
【００３６】
１  飼料搬送装置
２  ディスクケーブル
４  駆動装置
１５  ディスクケーブル張力付与機構
１６  カバー
１７  カバー
１８  駆動スプロケット
１９  コーナージョイント
２２  駆動モーター
２７  飼料排出孔
２９  飼料排出孔
３０  左側摺動配管部分
３１  右側摺動配管部分
３２  上側配管
３３  下側配管
Ｓ  飼料
【図１】
2008148654.tif 000003
【図２】
2008148654.tif 000004
【図３】
2008148654.tif 000005
【図４】
2008148654.tif 000006
【図５】
2008148654.tif 000007
【図６】
2008148654.tif 000008
【図７】
2008148654.tif 000009
【図８】
2008148654.tif 000010
【図９】
2008148654.tif 000011
【図１０】
2008148654.tif 000012
【図１１】
2008148654.tif 000013
【図１２】
2008148654.tif 000014